(57)【要約】      （修正有）【課題】紙巻器のロールペーパーを使用するとき、ペーパーの端を掴み、必要な長さに引き出し、切る一連の動作を片手で容易に行え、さらに紙巻器のいかなる部分へも触らずに使用できる機能を持たせる。【解決手段】ロールペーパー１はカバー５を上げて磁石４へ付けておき切り口を下から引き出す方向にしてロールペーパー入れ２へ入れる。そしてペーパー１の切り口を引き出してシャフト７で折り返してアーム８下方の刃付き横バー１１付近に垂れ下げ、カバー５をロールペーパー１の上に置きセットが完了する。使用するときは垂れ下がっているペーパー１を掴んで手前に引き出してそれを刃付き横バー１１の裏側に廻して手前に引いて切る。この一連の動作は片手で容易に行え、またロールペーパー１の入れ替え時以外は紙巻器に触らずに済むことを可能とした。【選択図】図１
2009291567.tif 000002
【特許請求の範囲】
【請求項１】
当紙巻器はトイレットペーパーの切口を掴み易くするため片持ちアーム下方に刃を付けて本体より離れた位置でカットできるようにする。これにより切った後は切口が長く垂れ下がっているため掴み易くなる。
【請求項２】
アームには上部にカムが、下部に刃付き横バーがあり中央には支点あって動く。ペーパーをカットする時に下部の横バーが引っ張られるため上部のカムは反対側に動き、本体左側面の押さえ片を押してロールを固定する。そのため確実にペーパーをカットすることができる。
【請求項３】
ロールペーパーが小径になり軽くなるとカットするために引っ張られる力より押さえ片のブレーキ力の方が弱くなるためペーパーがズルズルと出てきてしまい切れ難くなる。そのためカバーに重量を持たせ、さらにカバーの支点を下方に設けてロールへの荷重が大径の時は軽く小径になると重く懸かるようにする。
【請求項４】
背板に磁石を取り付けてロールペーパーを入れ替えるときに持ち上げたカバーをそこに保持して置けるようにして入れ替え作業性を良くした紙巻器。
【発明の詳細な説明】
【技術分野】
【０００１】  本発明は一般トイレ用の巻紙器に関する。
【背景技術】
【０００２】  従来、巻紙器のペーパーを引き出す場合はカバーを上げて切り口を掴むかロールを手で回転させて切り口を見えるようにしてから掴んで引き出す方式が殆どである。【０００３】  ペーパーを切る場合は上カバーを片手で押さえ、ペーパーを掴んでいるもう一方の手を引き上げてカバーの前端で切る方式が殆どである。【０００４】  巻紙器にロールペーパーを入れる場合はバーを上げてロールに心棒を刺して上から切り口を引き出す向きに設置する方式が殆どである。
【特許文献１】  特許公開  ２００５−２８８１１２
【非特許文献１】  登録実用新案第３０８３２３３号
【発明の開示】
【発明が解決しようとする課題】
【０００５】  ペーパーの切り口を掴む場合、切り口はカバーの下にあるためカバーを持ち上げるかロールを手で手前に回転させて切り口が見えるようにする必要があるため面倒である。さらに切り口はロールに密着しているため掴み難い。【０００６】  カバーを上げてペーパーを引き出す場合やあるいはペーパーを切る場合は両手で行わなければならない。従って片手が不自由な人はもちろん小さい子供や老人には困難な人が多い。【０００７】  カバーの前端でペーパーを切るものは安全上刃が無いものや有っても切れ難くしてある。そのため切れにくいペーパーでは力のない小さい子供やお年寄りには困難になる。【０００８】  ペーパーを引き出す場合やペーパーを切る場合はカバーに不特定多数の人が触るため衛生上、極めて問題である。
【課題を解決するための手段】
【０００９】  上述の目的を達成する本発明の紙巻器はペーパーをロールの下から引き出して上方のシャフトで折り返しアーム下方の刃付横バー付近に垂れ下げておく。使用時はペーパーを必要な長さに引き出してアーム下方の刃付横バーの内側に廻して手前に引くと切ることができる。【００１０】  アーム上部にはカムが、下部には刃付き横バーがあり中央の支点で支えていて動くことができる。そのためペーパーを切る時に下部の刃付き横バーが手前に引っ張られるとカムは後方に動いて押さえ片を押してロールを固定する。【００１１】  ロールが小径になり軽くなると押さえ片の押さえ力が弱まる。そのためカバーを重くしてその取り付け支点は極力下方に付けて、ロールが大径の時は軽く小径になると重くかかるようにする。【００１２】本体とアームの刃付き横バーの間隔はペーパーを片手で容易に取れるスペースを確保する。【００１３】  上げたカバーを保持するため背板に磁石を付け、カバーはそれに付く金属製とする。
【発明の効果】
【００１４】  ロールペーパーを入れ替えるとき持ち上げたカバーは背板にある磁石により保持されるため作業がし易い。【００１５】  ペーパーはカバーを持ち上げロールペーパー入れにペーパーを下から引き出す方向に入れるだけなので簡単であり、ロールの心棒も必要がない。【００１６】  ペーパーは手前に必要なだけ引き出してアーム下方の刃付き横バーの内側に廻して引くだけで切れる。これらは片手で容易に行えるため片手しか使えない人や力の弱い人も容易にできる。【００１７】  切った後のペーパーはアームの刃付近に垂れ下がっているため次に使う時には容易にしっかりと掴むことができる。【００１８】  ペーパーの入れ替え時以外は紙巻器のいかなる部分にも触れずに済むため衛生上好ましい。
【発明を実施するための最良の形態】
【００１９】  以下、本発明の実施の形態を図面に基づき詳細に説明する。【００２０】  図１〜図３は本発明の第１の実施の形態に係り図１はその外観斜視図、図２は左側面図、３は刃の安全カバー図である。【００２１】  図１に示すように本巻紙器はロールペーパー入れ２、ロールペーパー１を覆い押さえるカバー５、ペーパーを折り返して垂れ下げておくシャフト７および上部に押さえ片１３を押すカム９と下部にペーパーをカットする刃付き横バー１１のあるアーム９で構成されている。【００２２】  ペーパーを切るときペーパーが引っ張られるためロールペーパー１側を固定しないとズルズル出てきて切ることができない。従ってその時に押さえ片１３でロールペーパー１の側面を押さえて固定するようにする。押さえ片１３はアーム８上部のカム９で押される。アーム８は本体左下方にアームの支点１０で取り付けられ動くようにしてある。ペーパーを切るときアーム８の下方が手前に引っ張られて上方が反対側に動く。それにより先端にあるカム９でロールペーパー入れ２の左側面にある押さえ片１３が押されてロールペーパー１の側面を押さえる機構である。【００２３】  ロールペーパー１が小径になり軽くなるとペーパーを切る時にアーム８を動かす力が弱くなりロールペーパー１を押さえる力も弱くなって切れ難くなる。そのためロールペーパー１の上のカバー５を重くして、かつロールペーパー１が小径になるほどカバー５が重く懸かるようカバーの支点６を下方にする。最良の高さは小径になったロールペーパー１の中心の高さである。【００２４】  ロールペーパー１を入れる場合はカバー５を上げて背板３の中央にある磁石４へ付けて置く。ロールペーパー１は下から引き出す方向にロールペーパー入れ２へ入れる。そしてペーパーの切口を引き出してシャフト７で折り返しアーム８の刃１２付近に垂れ下げておく。カバー５をロールペーパー１の上に置いてセットが完了する。【００２５】  使用するときは垂れ下がっているペーパーを掴んで必要なだけ手前に引き出しアーム８下方の刃付き横バー１１の内側に廻し手前に引いて切断する。刃付き横バー１１には刃１２で怪我をしないように安全カバー１４を付けてある。
【実施例】
【００２６】  発明を実施するための最良の形態の中で示す
【産業上の利用可能性】
【００２７】  本発明は巻きリボン、巻きテープ、巻き紐の切断用として利用することができる。
【図面の簡単な説明】
【００２８】
【図１】本発明の第１の実施の形態に係る紙巻器の外観斜視図である。
【図２】図１の紙巻器の左側面の外観斜視図である。
【図３】図１の紙巻器の刃の安全カバーの外観斜視図である。
【符号の説明】
【００２９】  １、ロールペーパー  ２、ロールペーパー入れ  ３、背板            ４、磁石
５、カバー          ６、カバーの支点        ７、シャフト        ８、アーム
９、カム          １０、アームの支点      １１、刃付き横バー  １２、刃
１３、押さえ片      １４、安全カバー
【図１】
2009291567.tif 000003
【図２】
2009291567.tif 000004
【図３】
2009291567.tif 000005